(57)【要約】  【課題】  軒先の積雪や氷柱の解消を実現するに留まらず、屋根全体の積雪をも効率的に消雪できる新たな消雪技術を提供する。  【解決手段】  小屋伏せ図に応じた縦横各方向に分岐する分配管６と、屋根裏３軒先４部分最奥部辺りで当該軒先４に平行状に配されると共に、野地板２５下面に対峙する周壁で、管路に沿う方向に送気孔７１，７１，……を穿孔した軒先平行管７とを有し、当該分配管６の基端６１がわは温風発生機９の送風口９１に臨ませ、同他端がわを軒先平行管７に連結したものとする一方、軒先平行管７辺りから棟木２１に至るまでの軒先４がわ１／３に相当する範囲に属する各垂木２２，２２，……下端面間に気密シート５１を張設し、これら気密シート５１と野地板２５下面とに挟まれた空間を夫々垂木間規制空間部５に形成してなる屋根の消雪方法に用いる消雪屋根裏構造である。【選択図】    図３
2008101358.tif 000002
【特許請求の範囲】
【請求項１】
屋外または屋内適所に設置した温風発生機からの暖気を、建築物屋根裏空間に臨む天井下地構造の上で、小屋伏せ図に応じた縦横各方向に分岐するようにした分配管によって屋根裏軒先部分最奥部辺りまで誘導して軒先平行管に送り込んだ上、該軒先平行管の野地板下面に対峙する周壁で、管路に沿わせて穿孔してある多数の送気孔から野地板下面に向けてそれら暖気を放出可能にすると共に、同所から放出されてしまった暖気は、当該軒先平行管辺りから棟木に至るまでの少なくとも軒先がわ１／３に相当する範囲に属する各垂木下端面間に張設するようにした気密シートと野地板下面とに挟まれた各垂木間規制空間部を通じ、夫々屋根裏軒先部分最奥部辺りから棟木方向に向けて上昇誘導されるようにしたことを特徴とする屋根の消雪方法。
【請求項２】
屋外または屋内適所に設置した温風発生機からの暖気を、建築物屋根裏空間に臨む天井下地構造の上で、小屋伏せ図に応じた縦横各方向に分岐するようにした分配管によって屋根裏軒先部分最奥部辺りまで誘導して軒先平行管に送り込んだ上、該軒先平行管の野地板下面に対峙する周壁で、管路に沿わせて穿孔してある多数の送気孔から野地板下面に向けてそれら暖気を放出可能にすると共に、同所から放出されてしまった暖気は、当該軒先平行管辺りから棟木に至るまでの少なくとも軒先がわ１／３に相当する範囲に属する各垂木下端面間に張設するようにした気密シートと野地板下面とに挟まれた各垂木間規制空間部を通じ、夫々屋根裏軒先部分最奥部辺りから棟木方向に向けて上昇させ、暖気が軒先がわの屋根裏空間に拡散せず野地板沿い棟木方向に誘導されるようにしたことを特徴とする屋根の消雪方法。
【請求項３】
屋外または屋内適所に設置した温風発生機からの暖気を、建築物屋根裏空間に臨む天井下地構造の上で、小屋伏せ図に応じた縦横各方向に分岐するようにした分配管によって屋根裏軒先部分最奥部辺りまで誘導して軒先平行管に送り込んだ上、該軒先平行管の野地板下面に対峙する周壁で、管路に沿わせて穿孔してある多数の送気孔から野地板下面に向けてそれら暖気を放出可能にすると共に、立上枝管を通じて母屋平行管に送り込まれた暖気は、該母屋平行管の野地板下面に対峙する周壁で、管路に沿わせて穿孔してある多数の送気孔から野地板下面に向けて放出可能とし、それら送気孔から放出されてしまった暖気が、当該母屋平行管の直上箇所を除く軒先平行管辺りから棟木に至るまでの少なくとも軒先がわ１／３に相当する範囲に属する各垂木下端面間に張設するようにした気密シートと野地板下面とに挟まれた各垂木間規制空間部を通じ、夫々屋根裏軒先部分最奥部辺りから棟木方向に向けて軒先平行管からの暖気と、母屋平行管からの暖気とが互いに合流しながら、上昇誘導されるようにしたことを特徴とする屋根の消雪方法。
【請求項４】
屋外または屋内適所に設置した温風発生機からの暖気を、建築物屋根裏空間に臨む天井下地構造の上で、小屋伏せ図に応じた縦横各方向に分岐するようにした分配管によって屋根裏軒先部分最奥部辺りまで誘導して軒先平行管に送り込んだ上、該軒先平行管の野地板下面に対峙する周壁で、管路に沿わせて穿孔してある多数の送気孔から野地板下面に向けてそれら暖気を放出可能にすると共に、同所から放出されてしまった暖気は、当該軒先平行管辺りから棟木に至るまでの少なくとも軒先がわ１／３に相当する範囲に属する各垂木下端面間に張設するようにした気密シートと野地板下面とに挟まれた各垂木間規制空間部を通じ、夫々屋根裏軒先部分最奥部辺りから棟木方向に向けて上昇誘導される上、軒天下面の適所から屋根裏空間内に貫通し、天井下地構造上と各垂木下端面間に張設された気密シート下との間を、棟木寄りとなる適所まで延伸された外気取込管を通じて軒天下付近の外気を、屋根裏空間内に吸気されるようにしたことを特徴とする屋根の消雪方法。
【請求項５】
屋外地上付近の適所に設置した温風発生機からの暖気を、建築物外壁肉厚内に屋根裏空間に至るよう縦設され、建築物屋根裏空間に臨む天井下地構造の上で、小屋伏せ図に応じた縦横各方向に延伸、分岐するようにした分配管によって屋根裏軒先部分最奥部辺りまで誘導して軒先平行管に送り込んだ上、該軒先平行管の野地板下面に対峙する周壁で、管路に沿わせて穿孔してある多数の送気孔から野地板下面に向けてそれら暖気を放出可能にすると共に、同所から放出されてしまった暖気は、当該軒先平行管辺りから棟木に至るまでの少なくとも軒先がわ１／３に相当する範囲に属する各垂木下端面間に張設するようにした気密シートと野地板下面とに挟まれた各垂木間規制空間部を通じ、夫々屋根裏軒先部分最奥部辺りから棟木方向に向けて上昇誘導される上、当該分配管の中途部の適宜選択された地上階の床面下対応適所から分岐、導入された一次床暖枝管を通じて該当する地上階床面下に、温風発生機からの暖気の一部が供給されるようにしたことを特徴とする屋根の消雪方法。
【請求項６】
屋外または屋内適所に設置した温風発生機からの暖気を、建築物屋根裏空間に臨む天井下地構造の上で、小屋伏せ図に応じた縦横各方向に分岐するようにした分配管によって屋根裏軒先部分最奥部辺りまで誘導して軒先平行管に送り込んだ上、該軒先平行管の野地板下面に対峙する周壁で、管路に沿わせて穿孔してある多数の送気孔から野地板下面に向けてそれら暖気を放出可能にすると共に、同所から放出されてしまった暖気は、当該軒先平行管辺りから棟木に至るまでの少なくとも軒先がわ１／３に相当する範囲に属する各垂木下端面間に張設するようにした気密シートと野地板下面とに挟まれた各垂木間規制空間部を通じ、夫々屋根裏軒先部分最奥部辺りから棟木方向に向けて上昇誘導される上、屋根裏空間内の棟木直下近傍から、床面下に至るよう縦設され、その下端および中途適所に、必要に応じて各階床面下に分岐された二次床暖枝管を設け、少なくとも地上一階の床面下に配された二次床暖枝管に、屋根裏空間内に集合された暖気を、強制降下可能とする換気扇を配するよう設定された降下送風管を通じ、棟木直下近傍に集合した暖気が、換気扇によって床面下に誘導されるようにしたことを特徴とする屋根の消雪方法。
【請求項７】
建築物屋根裏空間に臨む天井下地構造の上で、小屋伏せ図に応じた縦横各方向に分岐するようにした分配管と、屋根裏軒先部分最奥部辺りで当該軒先に平行状に配されると共に、野地板下面に対峙するがわの周壁で、管路に沿う方向に多数の送気孔を穿孔してある軒先平行管とを有し、当該分配管の基端がわは、屋外または屋内適所に設置した温風発生機の送風口に臨ませ、同他端がわを軒先平行管に連結、連通したものとする一方、軒先平行管辺りから棟木に至るまでの少なくとも軒先がわ１／３に相当する範囲に属する各垂木下端面間に気密シートを張設し、これら気密シートと野地板下面とに挟まれた空間を夫々垂木間規制空間部に形成してなるものとした、請求項１ないし６何れか記載の屋根の消雪方法に用いる消雪屋根裏構造。
【請求項８】
建築物屋根裏空間に臨む天井下地構造の上で、小屋伏せ図に応じた縦横各方向に分岐され、且つ管路中途適所から母屋付近に達するよう立上枝管を分岐、立設させた分配管を設け、屋根裏軒先部分最奥部辺りで当該軒先に平行状に配されると共に、野地板下面に対峙するがわの周壁で、管路に沿う方向に多数の送気孔を穿孔してある軒先平行管と、母屋に平行状に配され、野地板下面に対峙するがわの周壁で、管路に沿う方向に多数の送気孔を穿孔した母屋平行管とを有し、当該分配管の基端がわは、屋外または屋内適所に設置した温風発生機の送風口に臨ませ、同立上枝管の上端を母屋平行管に、また、同他端がわを軒先平行管に夫々連結、連通したものとする一方、母屋平行管の直上箇所を除く軒先平行管辺りから棟木に至るまでの少なくとも軒先がわ１／３に相当する範囲に属する各垂木下端面間に気密シートを張設し、これら気密シートと野地板下面とに挟まれた空間を夫々垂木間規制空間部に形成してなるものとした、請求項１ないし６何れか記載の屋根の消雪方法に用いる消雪屋根裏構造。
【請求項９】
軒天下面の適所から屋根裏空間内に貫通し、天井下地構造上と各垂木下端面間に張設された気密シート下との間を、棟木寄りとなる適所まで延伸され、軒天下付近の外気を、屋根裏空間内に吸気可能とする外気取込管を配するよう設定されてなるものとした、請求項１ないし６何れか一項記載の屋根の消雪方法に用いる消雪屋根裏構造。
【請求項１０】
分配管は、その基端が、屋外地上付近の適所に設置された温風発生機の送風口に臨み、中途部適所が、建築物外壁肉厚内に屋根裏空間に至るよう縦設され、各他端を軒先平行管に、各立上枝管を各母屋平行管に夫々接続し、当中途部の適宜選択された地上階の床面下対応適所から、一次床暖枝管を該当地上階床面下に分岐、導入するよう設定されてなるものとした、請求項１ないし６何れか一項記載の屋根の消雪方法に用いる消雪屋根裏構造。
【請求項１１】
建築物には、屋根裏空間内の棟木直下近傍から、床面下に至るよう、屋内壁間内に降下送風管を縦設し、その下端および中途適所に、必要に応じて各階床面下に分岐する二次床暖枝管を設け、少なくとも地上一階の床面下に配された二次床暖枝管に、屋根裏空間内に集合された暖気を、強制降下可能とする換気扇を配するよう設定されてなるものとした、請求項１ないし６何れか一項記載の屋根の消雪方法に用いる消雪屋根裏構造。                                                                  
【発明の詳細な説明】
【技術分野】
【０００１】
この発明は、建築物の消雪に関連するあらゆる分野をその技術分野とするものであり、建築物の屋根に設けられる消雪装置を施設する分野は勿論のこと、その製造および設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                                                                                    
【背景技術】
【０００２】
（着目点）
北海道から東北、北陸地方に及ぶ積雪地帯では、建造物の屋根への断続的な積雪が、融解と凍結とを日々繰り返しながら、次第に軒先方向に移動し、落雪や落氷となって地上の人や器物に危害を与えたり、軒先自体を破壊したり、スガモレを発生させてしまうなど、多岐に亘る様々な被害を惹起する虞があることから、冬期間における積雪対策には、道路や屋敷周りといった地上面での除雪作業だけに止まらず、建造物、その中でも特に個人住宅の屋根からの雪下ろしや氷柱落としなど、温暖な地域では全く考えられない多大な危険と労苦とを伴う非生産的で過酷な作業を強いられることとなる。
【０００３】
（従来の技術）
そこで、最近ではそれらの問題を解決すべく、各方面から様々な提案がなされるようになった。例えば、特公平６−１０００３６号公報「軒先消雪システム兼用の建造物内通気システム」発明として提案されているもののように、外側に断熱材、内側が通気空間に形成された壁体と、上層が通気空間、下層が断熱材に形成された床構造とが、その各通気空間で連通されると共に、壁体における通気空間の上端が、軒先消雪用の軒天空間に連通される一方、軒天空間には結露水誘導板と結露水放出孔兼用通孔が形成される如くなし、建造物外に配置された温風ボイラーからの温風を床構造における通気空間に強制的に誘導してなるものとし、建造物内各室の暖房作用に費し得なかった余剰暖気を軒天空間に集中的に誘導して軒先（特に軒先部分の野地板裏面）だけを専門に暖め続けることができるようにし、仮令、床や壁体の通気空間を通過上昇する過程においてかなりの熱量が奪われてしまった暖気であっても、小屋裏全体に比較すれば極めてスペースの小さい軒天空間だけに集中し、しかも、順次冷えてしまった暖気から自然に融雪水放出孔兼用通孔を通じて外部に放出され、次々に上昇してくる余剰暖気ほど当該軒天空間の上方（野地板裏面）辺りに循環的にいつも集中する如くしたシステムとなし、軒天部分だけをこれまでになく効果的に暖め続け得るようにし、降雪地帯の建造物で大きな社会問題となっている屋根上の雪処理問題を効果的且つ確実に解決することを可能としたもの。
【０００４】
あるいは、特開２００４−２２５４１２号公報に開示された「屋根消雪装置」発明のように、温風器からの温風を屋根裏に送風自在とし、屋根裏の溜まった空気は戻りファンによって循環、換気し、この屋根裏と温風器間の空気の循環による空気温度を検知して温風器の燃焼操作を制御自在にすると共に、屋根裏のガラリは、冬期間は閉じ、夏期間は開放自在になるようにし、北側など雪の解け難い部分などには優先的にダクトを配して加温し、機械が壊れても室内等に温風器を設置するようにしてその交換や修理を容易なものとするなどとし、屋根裏の温度を外気よりも高い１０〜２０℃程度に保持し得る装置とすることにより、降雪と同時に融雪する既存のシステムに比べ、屋根裏から屋外への放熱を制御するようにし、消雪に時間は掛かるもののランニングコストを低く抑える効果が得られるようにしたものなどといった、代表的な提案がある。
【０００５】
しかしながら、前者の「軒先消雪システム兼用の建造物内通気システム」発明は、軒天部分だけを集中的に暖め続けるようにしたため、軒先の消雪は可能であっても雪留め金具から上の屋根面には積雪がそのまま残されてしまい、雪下ろし作業を完全に無くすことはできないと言わざるを得ないものであり、また、後者の「屋根消雪装置」発明によるものは、温風器から供給された暖気が、ダクトを通じて軒先付近に送風され、戻りファンによって温風器に還元されるようにした手法で、屋根裏の換気を積極的に行わせてはいるものの、これも前者従来例と同様、軒先付近の積雪や氷柱などの融解に主眼を置いたものであることから、屋根全体を効果的に消雪して雪下ろし作業をしなくて済ませることできるものにはなっていないという欠点を残すものであった。                                                                                
【特許文献１】（１）特公平６−１０００３６号公報    （２）特開２００４−２２５４１２号公報
【発明の開示】
【発明が解決しようとする課題】
【０００６】
（問題意識）
上述した「軒先消雪システム兼用の建造物内通気システム」や「屋根消雪装置」に代表されるとおり、従前までに提案のあるこの種屋根面積雪に対処する技術の多くは、何れも落雪や落氷による周辺への危害や、軒先の破壊、スガモレなどの根源と看做される軒先およびその周辺部分を集中的に加温して消雪および消氷する目的、作用を優先させるようにしたものとなっているため、度重なる降雪によって大部分の屋根面に残る積雪状態が解消せず、それら従前までの手段によっても、依然として相変わらず過酷で危険な雪下ろし作業を強いられているのが現状と言わざるを得ないことから、従前から対象と目されてきた軒先およびその周辺部分に加えて屋根全体をも効果的に消雪できるようにし、屋根面からの雪下ろし作業そのものを不要とするような新たな屋根面消雪技術の開発に期待が寄せられている。
【０００７】
（発明の目的）
そこで、この発明は、上記した問題意識の下、軒先の積雪や氷柱の解消を実現するに留まらず、それらを含む屋根面全体の積雪をも効率的に解消してしまう新たな消雪技術の開発はできないものかとの判断から、逸速くその開発、研究に着手し、長期に渡る試行錯誤と幾多の試作、実験とを繰り返してきた結果、今回、遂に新規な屋根の消雪方法、およびそれに用いる新規な消雪屋根裏構造を実現化することに成功したものであり、以下において、図面に示すこの発明を代表する実施例と共に、その構成について詳述していくこととする。                                                                                                
【課題を解決するための手段】
【０００８】
（発明の構成）
図面に示すこの発明を代表する実施例からも明確に理解されるように、この発明の屋根の消雪方法は、基本的に次のような構成から成り立っている。
即ち、屋外または屋内適所に設置した温風発生機からの暖気を、建築物屋根裏空間に臨む天井下地構造の上で、小屋伏せ図に応じた縦横各方向に分岐するようにした分配管によって屋根裏軒先部分最奥部辺りまで誘導して軒先平行管に送り込んだ上、該軒先平行管の野地板下面に対峙する周壁で、管路に沿わせて穿孔してある多数の送気孔から野地板下面に向けてそれら暖気を放出可能にすると共に、同所から放出されてしまった暖気は、当該軒先平行管辺りから棟木に至るまでの少なくとも軒先がわ１／３に相当する範囲に属する各垂木下端面間に張設するようにした気密シートと野地板下面とに挟まれた各垂木間規制空間部を通じ、夫々屋根裏軒先部分最奥部辺りから棟木方向に向けて上昇誘導されるようにした構成を要旨とする屋根の消雪方法である。
【０００９】
この基本的な構成からなる屋根の消雪方法を換言すると、屋外または屋内適所に設置した温風発生機からの暖気を、建築物屋根裏空間に臨む天井下地構造の上で、小屋伏せ図に応じた縦横各方向に分岐するようにした分配管によって屋根裏軒先部分最奥部辺りまで誘導して軒先平行管に送り込んだ上、該軒先平行管の野地板下面に対峙する周壁で、管路に沿わせて穿孔してある多数の送気孔から野地板下面に向けてそれら暖気を放出可能にすると共に、同所から放出されてしまった暖気は、当該軒先平行管辺りから棟木に至るまでの少なくとも軒先がわ１／３に相当する範囲に属する各垂木下端面間に張設するようにした気密シートと野地板下面とに挟まれた各垂木間規制空間部を通じ、夫々屋根裏軒先部分最奥部辺りから棟木方向に向けて上昇させ、暖気が軒先がわの屋根裏空間に拡散せず野地板沿い棟木方向に誘導されるようにした構成からなる屋根の消雪方法となる。
【００１０】
これらをより具体的なものとして示すならば、屋外または屋内適所に設置した温風発生機からの暖気を、建築物屋根裏空間に臨む天井下地構造の上で、小屋伏せ図に応じた縦横各方向に分岐するようにした分配管によって屋根裏軒先部分最奥部辺りまで誘導して軒先平行管に送り込んだ上、該軒先平行管の野地板下面に対峙する周壁で、管路に沿わせて穿孔してある多数の送気孔から野地板下面に向けてそれら暖気を放出可能にすると共に、立上枝管を通じて母屋平行管に送り込まれた暖気は、該母屋平行管の野地板下面に対峙する周壁で、管路に沿わせて穿孔してある多数の送気孔から野地板下面に向けて放出可能とし、それら送気孔から放出されてしまった暖気が、当該母屋平行管の直上箇所を除く軒先平行管辺りから棟木に至るまでの少なくとも軒先がわ１／３に相当する範囲に属する各垂木下端面間に張設するようにした気密シートと野地板下面とに挟まれた各垂木間規制空間部を通じ、夫々屋根裏軒先部分最奥部辺りから棟木方向に向けて軒先平行管からの暖気と、母屋平行管からの暖気とが互いに合流しながら、上昇誘導されるようにした屋根の消雪方法であるということができる。
【００１１】
そして、表現を変えて示すと、屋外または屋内適所に設置した温風発生機からの暖気を、建築物屋根裏空間に臨む天井下地構造の上で、小屋伏せ図に応じた縦横各方向に分岐するようにした分配管によって屋根裏軒先部分最奥部辺りまで誘導して軒先平行管に送り込んだ上、該軒先平行管の野地板下面に対峙する周壁で、管路に沿わせて穿孔してある多数の送気孔から野地板下面に向けてそれら暖気を放出可能にすると共に、同所から放出されてしまった暖気は、当該軒先平行管辺りから棟木に至るまでの少なくとも軒先がわ１／３に相当する範囲に属する各垂木下端面間に張設するようにした気密シートと野地板下面とに挟まれた各垂木間規制空間部を通じ、夫々屋根裏軒先部分最奥部辺りから棟木方向に向けて上昇誘導される上、軒天下面の適所から屋根裏空間内に貫通し、天井下地構造上と各垂木下端面間に張設された気密シート下との間を、棟木寄りとなる適所まで延伸された外気取込管を通じて軒天下付近の外気を、屋根裏空間内に吸気されるようにした構成からなる屋根の消雪方法となる。
【００１２】
同様に、屋外地上付近の適所に設置した温風発生機からの暖気を、建築物外壁肉厚内に屋根裏空間に至るよう縦設され、建築物屋根裏空間に臨む天井下地構造の上で、小屋伏せ図に応じた縦横各方向に延伸、分岐するようにした分配管によって屋根裏軒先部分最奥部辺りまで誘導して軒先平行管に送り込んだ上、該軒先平行管の野地板下面に対峙する周壁で、管路に沿わせて穿孔してある多数の送気孔から野地板下面に向けてそれら暖気を放出可能にすると共に、同所から放出されてしまった暖気は、当該軒先平行管辺りから棟木に至るまでの少なくとも軒先がわ１／３に相当する範囲に属する各垂木下端面間に張設するようにした気密シートと野地板下面とに挟まれた各垂木間規制空間部を通じ、夫々屋根裏軒先部分最奥部辺りから棟木方向に向けて上昇誘導される上、当該分配管の中途部の適宜選択された地上階の床面下対応適所から分岐、導入された一次床暖枝管を通じて該当する地上階床面下に、温風発生機からの暖気の一部が供給されるようにした構成からなる屋根の消雪方法ということが可能である。
【００１３】
さらに具体的には、屋外または屋内適所に設置した温風発生機からの暖気を、建築物屋根裏空間に臨む天井下地構造の上で、小屋伏せ図に応じた縦横各方向に分岐するようにした分配管によって屋根裏軒先部分最奥部辺りまで誘導して軒先平行管に送り込んだ上、該軒先平行管の野地板下面に対峙する周壁で、管路に沿わせて穿孔してある多数の送気孔から野地板下面に向けてそれら暖気を放出可能にすると共に、同所から放出されてしまった暖気は、当該軒先平行管辺りから棟木に至るまでの少なくとも軒先がわ１／３に相当する範囲に属する各垂木下端面間に張設するようにした気密シートと野地板下面とに挟まれた各垂木間規制空間部を通じ、夫々屋根裏軒先部分最奥部辺りから棟木方向に向けて上昇誘導される上、屋根裏空間内の棟木直下近傍から、床面下に至るよう縦設され、その下端および中途適所に、必要に応じて各階床面下に分岐する二次床暖枝管を設け、少なくとも地上一階の床面下に配された二次床暖枝管に、屋根裏空間内に集合された暖気を、強制降下可能とする換気扇を配するよう設定された降下送風管を通じ、棟木直下近傍に集合した暖気が、換気扇によって床面下に誘導されるようにした構成からなる屋根の消雪方法といえる。
【００１４】
（関連する発明）
上記した屋根の消雪方法に関連し、この発明には、そのための消雪屋根裏構造も包含される。
即ち、建築物屋根裏空間に臨む天井下地構造の上で、小屋伏せ図に応じた縦横各方向に分岐するようにした分配管と、屋根裏軒先部分最奥部辺りで当該軒先に平行状に配されると共に、野地板下面に対峙するがわの周壁で、管路に沿う方向に多数の送気孔を穿孔してある軒先平行管とを有し、当該分配管の基端がわは、屋外または屋内適所に設置した温風発生機の送風口に臨ませ、同他端がわを軒先平行管に連結、連通したものとする一方、軒先平行管辺りから棟木に至るまでの少なくとも軒先がわ１／３に相当する範囲に属する各垂木下端面間に気密シートを張設し、これら気密シートと野地板下面とに挟まれた空間を夫々垂木間規制空間部に形成してなるものとした、この発明の基本を成す屋根の消雪方法のための消雪屋根裏構造である。
【００１５】
より具体的には、建築物屋根裏空間に臨む天井下地構造の上で、小屋伏せ図に応じた縦横各方向に分岐され、且つ管路中途適所から母屋付近に達するよう立上枝管を分岐、立設させた分配管を設け、屋根裏軒先部分最奥部辺りで当該軒先に平行状に配されると共に、野地板下面に対峙するがわの周壁で、管路に沿う方向に多数の送気孔を穿孔してある軒先平行管と、母屋に平行状に配され、野地板下面に対峙するがわの周壁で、管路に沿う方向に多数の送気孔を穿孔した母屋平行管とを有し、当該分配管の基端がわは、屋外または屋内適所に設置した温風発生機の送風口に臨ませ、同立上枝管の上端を母屋平行管に、また、同他端がわを軒先平行管に夫々連結、連通したものとする一方、母屋平行管の直上箇所を除く軒先平行管辺りから棟木に至るまでの少なくとも軒先がわ１／３に相当する範囲に属する各垂木下端面間に気密シートを張設し、これら気密シートと野地板下面とに挟まれた空間を夫々垂木間規制空間部に形成してなるものとした消雪屋根裏構造ということがいえる。                                                                                                    
【発明の効果】
【００１６】
以上のとおり、この発明の屋根の消雪方法、およびそのための消雪屋根裏構造によれば、温風発生機からの暖気を屋根裏軒先部分最奥部辺りまで誘導して軒先平行管に送り込んだ上、該軒先平行管の多数の送気孔から放出した暖気は、当該軒先平行管辺りから棟木に至るまでの少なくとも軒先がわ１／３に相当する範囲に用意した垂木間規制空間部を通じ、夫々屋根裏軒先部分最奥部辺りから棟木方向に向けて上昇誘導するようにしてあり、温風発生機を起動、運転するだけで、分配管を通じて軒先平行管の送気孔から放出される暖気は、この発明のもののような垂木間規制空間部の形成されていない場合であれば、軒先から棟木方向に向けての上昇過程で、その上昇方向に直交配置となっている構造材の母屋（通常、９０ｃｍ間隔の配置で垂木を支える。）に直接衝突してしまって上昇流を疎外され、それら母屋にぶつかった暖気は、軒先辺りの広い小屋裏空間に拡散、停滞する間に熱を失い、結局のところ従来のもののように軒先がわの屋根消雪としてしか機能しなくなってしまうものを、そのような現象を殆ど生じさせずに野地板沿いの円滑な上昇を確実なものとなし、このような状態で少なくとも軒先がわ１／３分だけでも確実に上昇し得るようにして、それから上位方向に向かう暖気が、仮令母屋に疎外されることがあって拡散傾向となるにしても、上昇してきたそれら暖気は、今度はかなり狭い小屋裏空間の中に放出、拡散されることになって失われる熱量も左程大きくはなく、しかも、暖気自身の比熱に依る上昇傾向は、それら狭い小屋裏空間内において有効に作用して棟木までに達しさせるに十分なものになることから、熱源からの熱量が軒先から棟木まで範囲の専ら野地板だけに集中伝達できるようになり、それだけ熱源の送風能力や熱容量を経済的なものに設定可能なものにしながら、従前どおりの軒先上周辺の積雪や氷、および軒先に迫り出す雪庇や軒下に伸びる氷柱などを融解、消失させた上、各垂木間規制空間部を上昇する暖気が、軒先から棟に至るまで屋根全面の積雪や氷を効果的に融解、消氷雪することができるようになるという非常に秀れた特徴を有している。
【００１７】
特に、温風発生機から分配管に送り込まれた暖気の一部を、立上枝管を通じて母屋平行管に送り込むようにし、該母屋平行管の直上箇所を除く軒先平行管辺りから棟木に至るまでの少なくとも軒先がわ１／３に相当する範囲に属する各垂木下端面間に張設した気密シートと野地板下面とに挟まれた各垂木間規制空間部を通じ、夫々屋根裏軒先部分最奥部辺りから棟木方向に向けて強制誘導される、軒先平行管からの暖気と、母屋平行管からの暖気とが互いに合流しながら上昇、誘導されるようにしたものでは、野地板下面沿いに、軒先部分最奥部辺りから棟木方向に向けて上昇する暖気の温度低下をさらに防止できるようになり、屋根全面に亘って効果的な消氷雪を実現化することとなり、軒先下の安全の確保ばかりか、軒先の破損やスガモレの発生、および家屋の破損や倒壊などを効果的に阻止することができるという秀れた効果を発揮することになる。
【００１８】
そして、軒天下面の適所から屋根裏空間内に貫通し、天井下地構造上と各垂木下面間に張設した気密シート下との間を棟木寄りとなる適所まで延伸するようにした外気取込管を通じ、軒天下付近の外気を屋根裏空間内に吸気するようにしたものでは、特に燃焼型の温風発生機を屋根裏空間内に設置して暖気用の熱源装置に採用した場合に、積極的に屋根裏空間内を換気して一酸化炭素の異常増加を阻止して屋内の酸素欠乏を防止すると共に、温風発生機の燃焼不良を防止や屋内に新鮮な外気を取り込むことができる上、乾燥した冷気を取り込み屋根裏空間内の異常加熱や過乾燥を防いで屋根裏の環境を適正な条件下に保ち、建材などへの悪影響をなくして建物構造強度上の安全を維持し、居住者の生活に支障を来すことがないようにするという効果が得られることになる。
【００１９】
また、分配管中途部の適宜選択された地上階の床面下対応適所から分岐、導入するようにした一次床暖枝管を通じ、該当する地上階床面下に温風発生機からの暖気の一部が供給されるようにした場合には、温風発生機が発生する暖気を、屋根上の消雪に利用することの外に、室内の床暖房にも利用することが可能となり、消雪用の熱源と室内暖房用の熱源とを共用して、熱源装置およびそれに付随する配管、配線設備などの削減と、燃料費や電力使用量の節減とを可能にすることとなり、一段と経済的な生活空間の実現化に結び付けることができるという利点もある。
【００２０】
さらにまた、各階床面下に二次床暖枝管を分岐させ、少なくとも地上一階の床面下に配した二次床暖枝管へ向け、屋根裏空間内に充満する暖気を強制降下、誘導し得る換気扇の組み込まれた降下送風管を通じ、それら暖気が当該換気扇によって床面下に送り込まれるようにしたものでは、軒先平行管や母屋平行管および垂木間規制空間部を通じて軒先周辺や屋根上の略全体に亘る消氷雪用に一次利用した暖気の余熱を、無駄にしてしまわないで室内の床暖房に二次利用して有効活用することが可能となり、上記一次床暖枝管の効果をより一層確実化でき、実効を期待できるものとなる。                                                                                  
【発明を実施するための最良の形態】
【００２１】
上記したとおりの構成からなるこの発明の実施に際し、その最良もしくは望ましい形態について説明を加えることにする。
温風発生機の設置場所は、消雪対象の建築物の屋外または屋内の適所とすることが可能であり、屋外に設置する場合には、なるべく軒下や対象建築物に近接して建造された屋外倉庫などの風雨雪から保護し易い場所に設置するようにし、それが不可能なときには、専用のカバーや保護柵などで包囲して風雨雪から保護されるようにしたものとすべきであり、また、屋内設置では、室内空間を有効利用するためにも屋根裏空間内への設置が望ましいが、その他の室内適所か、あるいは専用の格納室を準備するかして設置するようにすることができ、それが燃焼型の場合には、適宜外気取込管を設けた上に排気管を併設したものとすべきである外、温風発生機の設置場所に拘わらず、軒天下面の適所から屋根裏空間内に貫通し、天井下地構造上と各垂木下面の間に張設してある気密シート下との間を、棟木寄りとなる適所まで延伸した外気取込管を通じ、軒天下付近の外気が屋根裏空間内に吸気されるようにし、屋根裏空間を自動あるいは手動で換気や温湿度調節可能なものとすることができる。
【００２２】
温風発生機の送風口から送り出される暖気は、分配管の基端がわから建築物屋根裏空間に臨む天井下地構造の上で、小屋伏せ図に応じた適宜縦横各方向に分岐するように誘導され、屋根裏軒先部分最奥部辺りで当該軒先に平行状に配した軒先平行管に送り込まれ、該軒先平行管の野地板下面に対峙するがわの周壁で、管路に沿う方向に多数穿孔された送気孔を通じ、屋根裏軒先部分最奥部辺りの野地板下面に吹き付けられ、該軒先平行管辺りから棟木に至るまでの少なくとも軒先がわ１／３に相当する範囲に属する各垂木下端面間に気密シートを張設し、これら気密シートと野地板下面とに挟まれた各垂木間規制空間部を通じ、夫々屋根裏軒先部分最奥部辺りから棟木方向に向けて確実に上昇誘導されるようにしたものとしなければならない。
【００２３】
温風発生機を屋外設置した場合には、屋外から建築物屋根裏空間に至る分配管の基端がわ屋外部分を断熱材で被覆し、または、建築物外壁もしくは屋内適所を通じて屋根裏空間まで誘導するよう配管されたものとし、温風発生機の送風口から屋根裏空間に至る間には、暖気温度が大幅に低下しないよう十分に断熱されたものとすべきである。
【００２４】
さらに、建築物屋根裏空間に臨む天井下地構造上、分配管を通じて小屋伏せ図に応じた適宜縦横各方向に分岐するように誘導する暖気の一部を、当該分配管の中途適所から所望する母屋付近に達するよう分岐、立設した立上枝管を経てその上端に連結、連通するようにし、母屋に平行状に配した母屋平行管の野地板下面に対峙するがわの周壁で、管路に沿う方向に多数穿孔してある送気孔から放出させ、母屋平行管の直上箇所を除く軒先平行管辺りから棟木に至るまでの少なくとも軒先がわ１／３に相当する範囲に属する各垂木下面同士に気密シートを張設し、これら気密シートと野地板下面とに挟まれた空間に形成される各垂木間規制空間部で当該母屋付近に開口させた中途開口部分に臨ませ、野地板下面に向けて吹き出すよう供給し、軒先平行管を通じて屋根裏軒先部分最奥部辺りから上昇して来る暖気と合流しながら棟木方向に向けて上昇、誘導されるようにしたものとすることができる。
【００２５】
加えて、温風発生機から分配管を通じて建築物屋根裏空間に誘導する暖気の一部は、当該分配管の中途部の適宜選択した地上階の床面下対応適所から分岐、導入されようにした一次床暖枝管を通じて該当する地上階床面下に放出して床暖房の機能をも発揮させるようにしたものとすることができる。
【００２６】
また、屋根裏空間内の棟木直下近傍から床面下に至るよう縦設するようにし、その下端および中途適所に、必要に応じて各階床面下に分岐するようにした二次床暖枝管を設け、少なくとも地上一階の床面下に配した二次床暖枝管に、屋根裏空間内に充満することとなる暖気を強制降下、誘導可能とする換気扇を組み合わせてある降下送風管を通じ、棟木辺りの屋根裏上方空間に集ることとなる暖気が、当該換気扇によって各階床面下に効率良く誘導されるようにしたものとするのが望ましい。
【００２７】
この発明の対象となる建築物は、棟または最高位箇所から軒先に向けて所定の下り勾配となる屋根を有し、消雪に利用可能な屋根裏空間を有する形式のもの、例えば、片流れ、招き、切妻、半切妻、腰折、寄せ棟、方形（宝形）、しころ、入母屋、マンサード、八角、尖りアーチ、蒲鉾（円形アーチ）蝶形、越、むくり、反り（照り）などの様々な屋根形式の何れのものでもよく、しかも新築または既存のものに拘わらず、それら建築物においてこの発明の消雪屋根裏構造を採用することが可能である。
【００２８】
天井下地構造は、建築物屋根裏空間に臨むものだけを対象とし、二階建ての一階や三階建ての一階、二階の天井を除くものであり、洋室の天井板、回り縁や和室の天井板、回り縁、竿縁などを含んでおり、天井の屋根裏空間に臨む上面には断熱材を敷設したものとするのが望ましく、また、軒天の上面には断熱材を、またその上層として別体の防湿シートを積層状に敷設するようにするか、それに代えて予め上面に防湿シート層を積層、一体化してある断熱材を採用することも可能である。
【００２９】
温風発生機は、分配管、立上枝管、軒先平行管および母屋平行管を通じ、相応の熱量の温風を屋根裏の主に野地板面に供給して軒先を含む屋根の消雪、消氷を果たすための熱量の温風を発生、供給する熱源として機能するものであり、軒下付近やベランダ、消雪対象の屋根より低い屋根上などといった屋外か、または対象とする屋根裏空間内（但し、その安全上からも屋根勾配が５寸以上の屋根裏を対象とすべき。）で配管に支障を来すことのない適所や、それ専用に準備した格納室か、あるいは屋内適所などの中の何れかを選択、設置することが可能であり、機種についても、灯油、軽油、微粉炭、ガスなどの各種燃料の何れかを利用可能な燃焼型の暖房器、より具体的には、強制排気式（Ｆｏｒｃｅｄ  Ｅｘｈａｕｓｔ)、強制屋外吸排気式（Ｆｏｒｃｅｄ  Ｄｒａｆｔ  Ｂａｌａｎｃｅｄ  Fｌｕｅ）暖房機、温水暖房器、ヒーター、ストーブ、温風ボイラー、または、電力利用の温水暖房器、蓄熱式暖房機、電気ヒーター、電気ストーブ、エアコン（Ａｉｒ  ｃｏｎｄｉｔｉｏｎｅｒ）、オイルヒーター、スチーム暖房器などとすることが可能である外、当該消雪屋根裏構造専用に設計、製造されたものとすれば好都合のものとなる。
【００３０】
分配管は、温風発生機の送風口から軒先平行管および母屋平行管までを通風可能に接続して熱風を遺漏なく通過する機能を果たすものであり、温風発生機の性能、ならびに対象となる建築物屋根の規模に応じ、十分な送風を実現可能とする口径に設定されたものとしなければならず、暖気の流れを妨げないよう、下り勾配を避けて上昇および水平方向への配管を基本として組み合わせたものとすべきであり、屋根上およびその軒先回りの消氷雪に利用する暖気の外、屋内の床、壁面の暖房用、または、屋外の消雪などに利用する暖気を、それら対象となる箇所に供給可能とするよう分岐、配管したもの、例えば、後述する実施例に示すように、地上階の何れかの階の床下に一次床暖枝管を分岐、誘導したものとすることが可能であり、その材質も、軟質合成樹脂製またはアルミ箔あるいは外の金属箔製のフレキシブルダクトか、または塩化ビニルやＡＢＳなどの合成樹脂製管、亜鉛鍍金鋼板製管または錫鍍金鋼板製管など、様々な素材によるものを用いることができ、適所に送風機または換気扇などといった強制送風機構を組み合わせたものとするのが望ましい。
【００３１】
一次床暖枝管は、分配管それ自体と同一の素材からなり、床暖房の対象となる床下面の適所まで延伸、配置するようにしたものの端部から暖気を放出する配管とするか、または、床下面に対峙する周壁で、管路に沿わせて穿孔してある多数の送気孔を通じて暖気を放出するようにしたものとすることができる。
【００３２】
軒先平行管は、分配管によって供給されて屋根裏軒先部分最奥部辺りまで誘導した温風発生機からの暖気を、野地板下面に向けて放出して垂木間規制空間部内に送り込む機能を果たすものであり、分配管の対応する他端に適所を接続、連通状としなければならず、野地板下面に対峙するがわの周壁には、管路に沿わせて多数の送気孔が穿孔されてなるものとしなければならず、該送気孔は、野地板下面に向けて（上方に向けて）暖気を管路長方向に略均質に放出可能となるよう規制して形成されたものとしなければならず、複数個の貫通孔からなるものとする外、暖気の放出方向を調節可能な複数のノズル、または、暖気の放出量を適宜範囲毎に調節可能な開度調節機構を有するものなどとすることも当然可能である。
【００３３】
母屋平行管は、分配管および立上枝管を通じて供給されてくる温風発生機からの暖気を、垂木間規制空間部の上下方向中途適所の母屋に近接する箇所で、当該母屋に平行状の配置とし、同所から野地板下面に向けて放出して当該垂木間規制空間部の軒先がわから上昇してくる軒先平行管からの暖気に合流させ、棟がわへの暖気の上昇を助勢する機能を果たし、立上枝管の上端に適所を接続、連通状にしたものとしなければならず、野地板下面に対峙するがわの周壁には、前記軒先平行管同様、管路に沿う方向に多数の送気孔を穿孔したものとしなければならず、また適所に強制送風機構を組み合わせたものにすることも同様可能である。
【００３４】
垂木間規制空間部は、軒先平行管（および母屋平行管）から屋根裏野地板面に向けて放出する暖気の殆どを、所定間隔で垂木を支える母屋に疎外されて拡散状となる現象を少しでもなくし、野地板下面に沿って円滑に上昇する過程で同野地板下面に暖気層を形成し得るようにし、効率的に軒先およびその周辺と野地板とに伝熱、加温して暖気からの熱を屋根表面に伝播できるようにする機能を果たし、より具体的には、軒先平行管辺りから棟木に至るまでの少なくとも軒先がわ１／３に相当する範囲に属する各垂木下端面間に気密シートを張設するようにし、野地板下面と気密シートとに挟まれた空間部分を垂木間規制空間部として確保するようにしなければならず、この垂木間規制空間部は、軒先から棟までの全長か、できるだけ棟近くまでに亘って形成するのが勿論望ましいといえるが、その果たす機能と経済性、作業性等を勘案すれば、屋根の軒先がわ１／３に相当する範囲だけでも当該垂木間規制空間部が確保されるようにすれば、それから上位方向に向かう暖気が、仮令母屋に疎外されることがあって拡散傾向となるにしても、上昇してきたそれら暖気は、今度はかなり狭い小屋裏空間の中に放出、拡散されることになって失われる熱量も左程大きくはなく、しかも、暖気自身の比熱に依る上昇傾向は、それら狭い小屋裏空間内において有効に作用して棟木までに達し得るものとなり、この発明の目的達成に然程の影響はない。
【００３５】
気密シートは、暖気を周辺、特に所定間隔で垂木を支える母屋に疎外されて拡散状にさせず、野地板下面沿いに軒先から棟木に至るよう上昇、誘導可能とするよう屋根裏空間のその余の部分と仕切る機能を果たすものであり、十分な気密性を確保できるものとしなければならず、暖気を、上記垂木間規制空間部以外の屋根裏空間内に放散させてしまうことなく棟がわに誘導できる性状を有する透湿防水シートとすべきであり、例えば、クラフト紙に各種樹脂によるラミネート処理を施したもの、ターポリン紙、糸入りクラフト紙、パラフィン紙、各種養生シート、金属箔製シート、各種合成樹脂製シート、天然ゴム製シート、またはそれらに金属箔や不織布などが積層状に貼着されたものなどとする外、場合によっては各種布地、比較的軽量且つ薄型の樹脂製パネルや木製パネルなどに置き換えることも可能であり、後述の実施例にも採用しているとおり、さらに具体的に示すと、旭トステム外装株式会社製「スーパーシート」（商品名）などが十分その機能をできるものであり、加えて難燃性または不燃性を有する軽量なシート状素材を選択するようにするとなお好都合のものとなる。
【００３６】
外気取込管は、積雪や降雨などの影響を受けずに外気を屋根裏空間内に誘導し、屋根裏空間内の酸素欠乏や一酸化炭素の増加を防ぐと共に、湿度の調節を可能とする機能を果たし、分配管と同様の素材からなるものとすれば足り、後述する実施例に示すように、軒天下面の適所から屋根裏空間内に貫通し、天井下地構造上と各垂木下面相互に張設した気密シート下との間を、棟木寄りとなる適所まで延伸したものとすればよく、必要に応じて屋根裏空間内の温度や湿度の上昇や、有害物質の発生などを検知して自動的に起動するよう設定した送風機や換気扇などからなる強制送風機構を組み合わせたものとすれば好都合のものとなる。
【００３７】
降下送風管は、屋根裏空間内の棟付近に貯留する暖気を地上階の何れかの床面下まで下方向に誘導可能とし、床暖房および屋内の加湿を実現するための配管として機能するものであり、該当する階の床面下に二次床暖枝管を分岐させたものとすべきであり、後述する実施例に示すように、地上一階の床面下に配した二次床暖枝管に、屋根裏空間内の暖気を強制降下可能とする送風機や換気扇などといった強制送風機構を組み込んだものとするのが望ましく、その素材も特に規制されるものではなく、前記した分配管と同様のものとすば足りる。
以下では、図面に示すこの発明を代表する実施例と共に、その構造について詳述することとする。                                                                                                                
【実施例１】
【００３８】
図１の縦断面化された寄せ棟の建築物の正面図、図２の寄せ棟の屋根裏の平面図、図３の縦断面化された屋根裏要部の正面図、および図４の縦断面化された軒先部分の正面図に示される事例は、建築物２屋根裏空間３に臨む天井下地構造２４の上で、小屋伏せ図に応じた縦横各方向に分岐するようにした分配管６と、屋根裏３軒先４部分最奥部辺りで当該軒先４に平行状に配されると共に、野地板２５下面に対峙するがわの周壁で、管路に沿う方向に多数の送気孔７１，７１，……を穿孔してある軒先平行管７とを有し、当該分配管６の基端６１がわは、屋外または屋内適所に設置した温風発生機９の送風口９１に臨ませ、同他端がわを軒先平行管７に連結、連通したものとする一方、軒先平行管７辺りから棟木２１に至るまでの少なくとも軒先４がわ１／３に相当する範囲に属する各垂木２２，２２，……下端面間に気密シート５１を張設し、これら気密シート５１と野地板２５下面とに挟まれた空間を夫々垂木間規制空間部５に形成してなる、この発明の屋根の消雪方法に用いる消雪屋根裏構造における代表的な一実施例を示すものである。
【００３９】
当該消雪屋根裏構造１は、図１および図２中に示すように、二階建て建築物２の軒先４となる適所に、屋外カバー９２を有する温風発生機９が設置され、その送風口９１に基端６１を臨ませたアルミニウム箔製の伸縮、可撓性を有する蛇腹状の分配管６（直径１００ないし１５０ｍｍ）を、外壁２６の外壁パネルと室内壁との断熱材収容空間内に収容し、屋根裏空間３まで上昇させるよう誘導、配管すると共に、該分配管６中途部６２の一階天井面上と二階床面２７下との間に対応する箇所から、一次床暖枝管６５（直径１００ないし１５０ｍｍ）を分岐させ、二階床面２７下の適所まで配管し、その端部を開放したものとなっている。
【００４０】
当該屋根裏空間３内に延伸、誘導された分配管６は、図２の小屋伏せ図中における、二階天井板上に断熱材を敷設してなる天井下地構造２４上であって棟木２１直下付近まで延伸され、さらに棟木２１に平行な方向、および直行する方向に向けて夫々四方向ずつ計８方向に分岐されて各他端６３，６３，……を、図３および図４中に示すように、軒先４最奥部辺りまで誘導し、軒先４部分最奥部辺りで当該軒先４に平行状に配され、各先端が、夫々対応する隅棟２８，２８，……（図２中に示す）下端付近に到達するよう延伸されると共に、野地板２５下面に対峙するがわの周壁で、管路に沿う方向に多数の送気孔７１，７１，……を穿孔してある軒先平行管７（直径１００ないし１５０ｍｍ）の基端を接続したものとしている。
【００４１】
図３中に示すように、軒桁の棟がわに一本目となる各母屋２３，２３，……の下方付近に配置した分配管６の各中途部６２，６２，……から、立上枝管６４，６４，……を分岐、立設させ、それらの先端を対応する母屋２３，２３，……に隣接する高さまで延伸させた上、各母屋２３，２３，……に平行状に配し、各先端が、夫々対応する隅棟２８，２８，……（図２中に示す）中途部付近に到達するよう延伸させると共に、野地板２５下面に対峙するがわの周壁で、管路に沿う方向に多数の送気孔８１，８１，……を穿孔した夫々の母屋平行管８，８，……（直径１００ないし１５０ｍｍ）の端部を接続し、各立上枝管６４，６４，……の中途適所と、各立上枝管６４，６４，……よりも軒先４，４，……寄りとなる分配管６の各中途部６２，６２，……の適所との夫々に、温風発生機９の起動に連動して自動的に始動するように設定した送風ファン９３，９３，……が装着されている。
【００４２】
さらに、図３中に示すように、各母屋平行管８，８，……の直上箇所を除く各軒先平行管７，７，……辺りから棟木２１に至るまでの少なくとも各軒先４，４，……がわ１／３に相当する範囲に属する、軒桁がわから３本目位までの各垂木２２，２２，……下端面間に亘り、旭トステム外装株式会社製「スーパーシート」（商品名）からなる気密シート５１，５１，……を、その吸湿面が上がわ、防水面が下がわに向くよう張設し、これら気密シート５１，５１，……と野地板２５下面とに挟まれた空間が夫々垂木間規制空間部５に形成されたものとしている。
【００４３】
また、図２中に示すように、小屋伏せ図上の概略対角線状の配置となる二本の隅棟２８，２８の夫々に沿って近接するよう配し、図１ないし図３中に示すように、軒天４１下面の適所から屋根裏空間３内に貫通し、天井下地構造２４上と各垂木２１下端面間に張設した気密シート５１下との間を、棟木２１寄りとなる適所まで延伸し、軒天４下付近の外気を屋根裏空間３内に吸気可能とする外気取込管Ｅ，Ｅ（直径１００ないし１５０ｍｍ）が配管されてなるものとしてある。
【００４４】
図１ないし図３中に示すように、屋根裏空間３内の棟木２１直下近傍から一階の床面２７下に至るよう、屋内壁２９の室内面壁間内に降下送風管Ｄ（直径１００ないし１５０ｍｍ）を縦設し、その下端および二階床面２７下に対応する中途適所の夫々からは、各階床面２７，２７下の適所に延伸した二次床暖枝管Ｄ１，Ｄ１，……（直径１００ないし１５０ｍｍ）を分岐させ、図３中に示す、降下送風管Ｄの二階床面２７より上方となる中途適所、および、地上一階の床面２７下に配した二次床暖枝管Ｄ１，Ｄ１の二次暖気を放出する端部の夫々に、屋根裏空間２内に集めた暖気を強制降下、誘導できるようにする換気扇Ｄ２，Ｄ２，Ｄ２が、温風発生機９の起動に連動して始動するようにしたものとして配され、それらは、前記分配管６や立上枝管６４に設けられた送風ファン９３，９３，……と実質的に同一のものを用いることができる。
【００４５】
当該分配管６、およびそれに接続される一次床暖枝管６５，６５，……、立上枝管６４，６４，……、軒先平行管７，７，……、母屋平行管８，８，……、ならびに外気取込管Ｅ，Ｅ、降下送風管Ｄ、二次床暖枝管Ｄ１，Ｄ１，……などの暖気用の各配管は、その口径を１００ないし１５０ｍｍに設定しているが、消雪や暖房の対象面積や、温風発生機９の性能などの条件に基づいて適宜の配管直径に設定することが可能である。
【００４６】
また、この実施例の消雪屋根裏構造１は、図５の縦断面化した寄せ棟の建築物の正面図、図６の寄せ棟の屋根裏の平面図、および、図７の縦断面化した屋根裏要部の正面図中に示すように、外気取込管Ｅを設けないものとすることが可能である外、図８の縦断面化した寄せ棟の建築物の正面図、および、図９の寄せ棟の屋根裏の平面図に示す事例のように、温風発生機９を、屋根裏空間３内に設置し、地上付近から外壁２６内を通って屋根裏空間３まで延伸した分配管６の一次床暖枝管６５を含む基端６１がわ範囲を廃止したものとすることできるが、これらの場合には、温風発生機９を、強制排気式（Ｆｏｒｃｅｄ  Ｅｘｈａｕｓｔ)、強制屋外吸排気（Ｆｏｒｃｅｄ  Ｄｒａｆｔ  Ｂａｌａｎｃｅｄ  Ｆｌｕｅ）式暖房機や、電力利用の温水暖房器、蓄熱式暖房機、ヒーター、エアコン（Ａｉｒ  ｃｏｎｄｉｔｉｏｎｅｒ）など、暖気中に一酸化炭素などの有害物質や湿気を含まないものとするのが望ましい。
【００４７】
（実施例の作用）
以上のとおりの構成からなるこの発明に包含される消雪屋根裏構造１は、この発明の屋根の消雪方法を実施可能とするものであり、以下ではその屋根の消雪方法の消雪手順に従い、それらの作用について述べて行くこととする。
図１ないし図４中に示した消雪屋根裏構造１は、建築物２の屋根上や軒先４上に積雪や着氷、または軒先４に雪庇や氷柱などが発生しそうなとき、あるいは僅かに発生してしまったときに、屋内適所に設置したスイッチパネル（図示せず）を操作して温風発生機９を起動させることとなるが、屋根や軒先４の適所に着雪センサーや着氷センサーなどを設置し、積雪や着氷などを検知したときに自動的に温風発生機９を起動させるようにしたものとすることも可能であり、温風発生機９の起動と同時に、各部に設置した送風ファン９３，９３，……や換気扇Ｄ２，Ｄ２，Ｄ２も連動して自動的に起動するようなものとすれば、極めて好都合のものとなる。
【００４８】
起動させた温風発生機９は、外気を取り込んで燃料を良好に燃焼させ、その送風口９１から分配管６の基端６１に暖気を連続供給し、図１中の実線矢印に示すように、一階および二階の外壁２６内に配してある分配管６の中途部６２を上昇する過程で、暖気の一部が一次床暖枝管６５に供給され、二階の床面２７下適所に放出され、床暖房の機能を発揮するものとなる。
【００４９】
また、屋根裏空間３内まで上昇した暖気は、図２の小屋伏せ図に示すように、分配管６の中途部６２からさらに各方位に分岐されて夫々軒先４，４，……部分最奥部辺りまで誘導すると共に、その中の一部が、各中途部６２，６２，……適所から立ち上げられた立上枝管６４，６４，……に沿い、夫々が対応する母屋２３，２３，……（図３中に示す）付近まで上昇させ、軒先４，４，……部分の最奥部辺りまで誘導した暖気は、軒先平行管７，７，……に流れ込み、図４中に白抜き矢印で示すよう、各送気孔７１，７１，……を通じて対峙する軒先４，４，……部分の野地板２５下面に吹き付けるよう放出され、図３および図４中に示すように、垂木２２，２２，……下端面間に張設した気密シート５１，５１，……と野地板２５下面とに挟まれた各垂木間規制空間部５，５，……中を、棟木２１（図２中に示す）の方向に上昇することとなり、また、図３中に示すよう、各立上枝管６４，６４，……に誘導した暖気が、各母屋平行管８，８，……の送気孔８１，８１，……から、気密シート５１，５１，……の上下中途部に形成された開口部分を通じて各垂木間規制空間部５，５，……上下中途部に流入し、軒先４，４，……がわから上昇して来る暖気と合流しながら棟木２１（図２中に示す）に向けて上昇することとなる。
【００５０】
温風発生機９から分配管６に送り込まれた暖気は、温風発生機９それ自体の送風圧力と、図３中に示す各立上枝管６４，６４，……の適所、および、各立上枝管６４，６４，……よりも軒先４，４，……寄りとなる分配管６の各中途部６２，６２，……適所、夫々に装着された送風ファン９３，９３，……が発生する負圧とにより、強制的に各軒先平行管７，７，……ならびに各母屋平行管８，８，……に送り込まれることとなり、各軒先平行管７，７，……の送気孔７１，７１，……から放出される暖気の一部は、軒天４１，４１，……上の各軒先４，４，……最深部辺りを加温し、その周辺の雪庇や氷柱、積雪を融解し、また、それらの発生を防止するものとなる。
【００５１】
そして、垂木２２の厚み寸法に相当する平板状の各垂木間規制空間部５，５，……を上昇する暖気は、屋根裏空間３の全体に充填する場合に比較して供給量が僅かでありながら、その上昇過程において屋根２５上の積雪や着氷を効率的に融解し、確実に消氷雪することとなり、しかも気密シート５１，５１，……の吸湿面が、各垂木間規制空間部５，５，……の内がわに面して張設されていることから、暖気中に含まれる湿度を吸収、加減して自動的に湿度調整するものとなり、一時的に吸収した水分を屋根裏空間３に拡散しないよう、下面がわの防水面が機能するものとなる。さらに、各垂木間規制空間部５，５，……から上方に放出した暖気が、野地板２５下面に沿って屋根裏空間３内の棟木２１（図２中に示す）下付近まで上昇し、図１中に二点鎖線で示すように、集合状となって、棟２１付近の積雪を融解し、屋根２５全体の消氷雪を実現化することとなる。
【００５２】
図１中の二点鎖線に示すように、棟２１直下付近に貯まった暖気は、降下送風管Ｄを通じて換気扇Ｄ２，Ｄ２，Ｄ２の送風力によって降下、誘導されて二階および一階床面２７，２７下の各二次床暖枝管Ｄ１，Ｄ１，……から夫々強制的に放出され、二階および一階の床暖房を実現化すると共に、温風発生機９の燃焼によって暖気中に含むこととなった水分が、冬期の乾燥傾向にある屋内を適度に加湿することになる。
【００５３】
さらに、図１ないし図３中に示す外気取込管Ｅは、屋根裏空間３内の棟木２１（図２中に示す）下付近に貯留状で湿気を含むこととなる、図１中に二点鎖線で示す暖気に、冬期の乾燥した外気を供給し、屋根裏空間３内における結露を防止すると同時に、屋根裏空間３の過熱を防止し、屋内に新鮮な外気を取り込むこととなり、また、一階床面２７下の換気扇Ｄ２，Ｄ２は、その送風圧力によって同床面２７下空間を加圧し、基礎コンクリート立ち上がり部分に開口した図示しない幾つかの通気口を通じて強制的に換気するものとなり、必要以上の湿気を屋外に排出することになり、したがって温風発生機９によって屋外から送り込まれるようにした暖気は、一旦屋根裏空間３に供給するようにして屋根消雪に利用された後、それら暖気が二次暖気として、二階および一階の床暖房用に一階床下の通気口から強制的に排気されて建築物２内を循環することとなり、結露や黴、シロアリ、害虫の発生なども防止する。
【００５４】
発生する暖気中に一酸化炭素などの有害物質や湿気などを含まない温風発生機９を採用するときには、図５ないし図７中に示すように、外気取込管Ｅを廃止してしまうことも可能であり、さらに、温風発生機９自体を建築物２屋内の適所、例えば図８および図９中に示す屋根裏空間３内の天井下地構造２４上の適所に設置したものとしてもよく、その場合、配管設備の省力化が可能となる。
【００５５】
（実施例の効果）
以上のような構成からなる実施例の消雪屋根裏構造１は、前記この発明の効果の項で記載の特徴に加え、図１ないし図３中に示した母屋平行管８，８，……が、夫々対応する母屋２３，２３，……に沿って平行状に設置され、適宜金具類によって母屋２３への固定が可能となり、各立上枝管６４，６４，……の転倒を防止し、母屋平行管８，８，……の送気孔８１，８１，……を確実に野地板２５に対峙させ、垂木間規制空間部５，５，……に安定して暖気を送り込めるものとなって、信頼性と熱効率に秀れた消雪および暖房システムを構築できるという秀れた効果が得られることとなる。
【００５６】
また、図３中に示すように、分配管６の各軒先平行管７，７，……や母屋平行管８，８，……に臨む他端がわの夫々に送風ファン９３，９３，……を配し、さらに、図１および図３中に示すように、降下送風管Ｄおよび二次床暖枝管Ｄ１，Ｄ１，……の適所に換気扇Ｄ２，Ｄ２，Ｄ２を設け、温風発生機９の送風圧力だけに頼らず、暖気の屋内循環を強制的に誘導するようにしたものでは、屋根消雪と室内暖房とを実現化させた上、建築物２全体の換気性能を格段に高めることが可能となり、結露や黴、家具や家電製品から発生する化学物質の除去など、アトピー性皮膚炎や化学物質過敏症の予防にも繋がる健康的な居住空間の確保が可能になるという利点がある。
【００５７】
さらに、消雪屋根裏構造１の基本構成をなす温風発生機９、分配管６、軒先平行管７，７，……、母屋平行管８，８，……および降下送風管Ｄなどは、何れも新築または既存を問わず、また建築物２の基本構造を大きく変更することもなく、一般的勾配に形成された野地板２５とその屋根裏空間３とを備えた建築物２であれば、何れにも容易に設置することができ、しかもアルミニウム箔製の伸縮、可撓性を有する蛇腹状の軽量な配管や、透水防湿性を有する薄型、軽量の「スーパーシート」（商品名：旭トステム外装株式会社製）からなる気密シート５１，５１，……などを用いていて重量による建築物２への負荷が極力押さえられ、したがって耐震性も悪化させることもなく、建築物２の外観をそのまま維持し続けられるという特徴を有するものとなる。
【００５８】
（結  び）
叙述の如く、この発明の屋根の消雪方法、およびそれに用いる消雪屋根裏構造は、その新規な構成によって所期の目的を遍く達成可能とするものであり、しかも製造および設置が容易で、従前からの屋根消雪装置に比較し、大幅な軽量と低廉化とを果たした上、熱効率や消雪効率にも秀れていて遥かに経済的なものとすることができ、室内暖房や屋内換気も実現化し得るものとなることから、消雪用の燃料や電力使用の負担に加え、暖房費の増大に頭を抱える降雪地帯の一般企業や一般家庭はもとより、そうした課題の解決に取り組む建築業界からも高い評価がなされ、広範に渡って利用、普及していくものになると予想される。                                                                                                        
【図面の簡単な説明】
【００５９】
図面は、この発明の屋根の消雪方法、およびそれに用いる消雪屋根裏構造の技術的思想を具現化した代表的な幾つかの実施例を示すものである。
【図１】二階建て建築物に設置された消雪屋根裏構造を縦断面化して示す正面図である。
【図２】消雪屋根裏構造を示す平面図である。
【図３】消雪屋根裏構造の要部を断面化して示す正面図である。
【図４】消雪屋根裏構造の軒先部分を断面化して示す正面図である。
【図５】外気取込管を廃止した消雪屋根裏構造を縦断面化して示す正面図である。
【図６】外気取込管を廃止した消雪屋根裏構造の小屋伏せ図を示す平面図である。
【図７】外気取込管を廃止した消雪屋根裏構造の要部を断面化して示す正面図である。
【図８】温風発生機を屋根裏内に設置した消雪屋根裏構造を示す正面図である。
【図９】温風発生機を屋根裏内に設置した消雪屋根裏構造を示す平面図である。
【符号の説明】
【００６０】
１      消雪屋根裏構造
２      建築物
２１    同  棟木
２２    同  垂木
２３    同  母屋
２４    同  天井下地構造
２５    同  野地板
２６    同  外壁
２７    同  床面
２８    同  隅棟
２９    同  屋内壁
３      屋根裏空間
４      軒先
４１    同  軒天
５      垂木間規制空間部
５１    同  気密シート
６      分配管
６１    同  基端
６２    同  中途部
６３    同  他端
６４    同  立上枝管
６５    同  一次床暖枝管
７      軒先平行管
７１    同  送気孔
８      母屋平行管
８１    同  送気孔
９      温風発生機
９１    同  送風口
９２    同  屋外カバー
９３    同  送風ファン
Ｅ      外気取込管
Ｄ      降下送風管
Ｄ１    同  二次床暖枝管
Ｄ２    同  換気扇                                                                                                
【図１】
2008101358.tif 000003
【図２】
2008101358.tif 000004
【図３】
2008101358.tif 000005
【図４】
2008101358.tif 000006
【図５】
2008101358.tif 000007
【図６】
2008101358.tif 000008
【図７】
2008101358.tif 000009
【図８】
2008101358.tif 000010
【図９】
2008101358.tif 000011